(57)【特許請求の範囲】
【請求項１】
洗濯物を洗濯するための水を受ける水受槽と、
前記水受槽の内部に設けられ、前記洗濯物が投入される洗濯槽と、
前記洗濯槽を回転操作する洗濯モータと、
前記水受槽と前記洗濯槽と前記洗濯モータのそれぞれが収納された中空状をなすものであって、次の１）前板と２）後板と３）天板を有する外箱と、
１）使用者側である前方から前記洗濯槽内に対して前記洗濯物を出し入れするための出入口を有する前板
２）前記前板の後方に位置する金属製の後板
３）前記前板の上端部および前記後板の上端部を相互に連結する合成樹脂製の天板
前記外箱の天板のみに当該天板の後端部に位置して設けられ、作業者が前記外箱を運搬する場合に手指を挿入するものであって使用者側である前方から見て後面が開口する凹状の手掛け部を備え、
前記手掛け部は、
前記外箱の天板の後端面に比べて前方に位置する合成樹脂製の手掛け部前板と、
前記手掛け部前板の左端部から後方へ突出する合成樹脂製の手掛け部左板と、
前記手掛け部前板の右端部から後方へ突出する合成樹脂製の手掛け部右板と、
前記手掛け部前板の下端部から後方へ突出するものであって、前記手掛け部左板の下端部および前記手掛け部右板の下端部を相互に連結する合成樹脂製の手掛け部下板と、
前記手掛け部前板と前記手掛け部左板と前記手掛け部右板と前記手掛け部下板のそれぞれに比べて上方に位置するものであって、作業者が前記外箱を運搬する場合に前記水受槽と前記洗濯槽と前記洗濯モータと前記外箱のそれぞれの荷重を受ける合成樹脂製の手掛け部上板を有し、
前記手掛け部の内部に位置して、前記手掛け部左板および前記手掛け部右板を前記手掛け部上板よりも下方で連結する合成樹脂製の手掛け部仕切板が設けられ、
前記手掛け部上板および前記手掛け部仕切板の一方には、
前記手掛け部仕切板が弾性変形していない自然状態では他方に隙間を介して対向し、前記手掛け部仕切板が上方へ弾性変形した弾性変形状態では他方に接触する上リブが設けられていることを特徴とする洗濯機。
【請求項２】
前記外箱の天板に設けられ、前記外箱の天板および後板を相互に締結する締結部材を備え、
前記締結部材は、前記締結部材の中心点から前記手掛け部の手掛け部左板の内面および手掛け部右板の内面のいずれか一つに至る最短距離が手掛け部左板の内面および手掛け部右板の内面相互間の距離である前記手掛け部の幅寸法の１／２以下に設定されていることを特徴とする請求項１に記載の洗濯機。
【請求項３】
前記外箱の後板には、前記手掛け部の手掛け部下板を下方から接触状態で支持する手掛け部受けが設けられていることを特徴とする請求項１・２のいずれかに記載の洗濯機。
【請求項４】
前記手掛け部には、
作業者が前記手掛け部に手指を挿入して前記外箱を運搬する場合に前記手掛け部受けに左方から接触することで前記天板が前記後板に対して右方へずれ動くことを防止する左リブ、および、前記手掛け部受けに右方から接触することで前記天板が前記後板に対して左方へずれ動くことを防止する右リブのそれぞれが設けられていることを特徴とする請求項３に記載の洗濯機。
【発明の詳細な説明】
【技術分野】
【０００１】
本発明は作業者が外箱を運搬する場合に手指を挿入するための手掛け部を備えた洗濯機に関する。
【背景技術】
【０００２】
洗濯機には水受槽と洗濯槽と洗濯モータのそれぞれを外箱の内部に収納した構成のものがある。この外箱は中空状をなすものであり、前板と後板と天板を有している。前板は使用者側である前方から洗濯槽内に対して洗濯物を出し入れするための出入口を有するものであり、後板は前板の後方に位置する金属製のものであり、天板は前板の上端部および後板の上端部を相互に連結する合成樹脂製のものである。この洗濯機には手掛け部が設けられている。この手掛け部は作業者が外箱を運搬する場合に手指を挿入するものであり、使用者側である前方から見て後面が開口する凹状をなしている。
【０００３】
特許文献１には手掛け部として手掛け部上板および手掛け部前板を有するものが記載されている。手掛け部上板は作業者が外箱を運搬する場合に水受槽と洗濯槽と洗濯モータと外箱のそれぞれの荷重を受ける部分である。手掛け部前板は手掛け部の奥壁に相当するものであり、作業者が外箱を運搬する場合に水受槽と洗濯槽と洗濯モータと外箱のそれぞれの荷重で手掛け部上板が弾性変形することを抑える機能を有している。
【先行技術文献】
【特許文献】
【０００４】
【特許文献１】特開２００８−９９８０２号公報
【発明の概要】
【発明が解決しようとする課題】
【０００５】
特許文献１の場合には手掛け部上板が外箱のうち合成樹脂製の天板に設けられ、手掛け部前板が外箱のうち金属性の後板に設けられている。このため、手掛け部に合成樹脂および金属相互間の接合面が生じてしまうので、手掛け部の剛性が低い問題がある。
【課題を解決するための手段】
【０００６】
本発明の洗濯機は、洗濯物を洗濯するための水を受ける水受槽と、前記水受槽の内部に設けられ前記洗濯物が投入される洗濯槽と、前記洗濯槽を回転操作する洗濯モータと、前記水受槽と前記洗濯槽と前記洗濯モータのそれぞれが収納された中空状をなすものであって１）使用者側である前方から前記洗濯槽内に対して前記洗濯物を出し入れするための出入口を有する前板と２）前記前板の後方に位置する金属製の後板と３）前記前板の上端部および前記後板の上端部を相互に連結する合成樹脂製の天板を有する外箱と、前記外箱の天板のみに当該天板の後端部に位置して設けられ作業者が前記外箱を運搬する場合に手指を挿入するものであって使用者側である前方から見て後面が開口する凹状の手掛け部を備え、前記手掛け部は前記外箱の天板の後端面に比べて前方に位置する合成樹脂製の手掛け部前板と、前記手掛け部前板の左端部から後方へ突出する合成樹脂製の手掛け部左板と、前記手掛け部前板の右端部から後方へ突出する合成樹脂製の手掛け部右板と、前記手掛け部前板の下端部から後方へ突出するものであって前記手掛け部左板の下端部および前記手掛け部右板の下端部を相互に連結する合成樹脂製の手掛け部下板と、前記手掛け部前板と前記手掛け部左板と前記手掛け部右板と前記手掛け部下板のそれぞれに比べて上方に位置するものであって作業者が前記外箱を運搬する場合に前記水受槽と前記洗濯槽と前記洗濯モータと前記外箱のそれぞれの荷重を受ける合成樹脂製の手掛け部上板を備え、前記手掛け部の内部に位置して、前記手掛け部左板および前記手掛け部右板を前記手掛け部上板よりも下方で連結する合成樹脂製の手掛け部仕切板が設けられ、前記手掛け部上板および前記手掛け部仕切板の一方には、前記手掛け部仕切板が弾性変形していない自然状態では他方に隙間を介して対向し、前記手掛け部仕切板が上方へ弾性変形した弾性変形状態では他方に接触する上リブが設けられているところに特徴を有する。
【発明の効果】
【０００７】
手掛け部は手掛け部前板と手掛け部左板と手掛け部右板と手掛け部下板と手掛け部上板を有するものである。これら手掛け部前板〜手掛け部上板のそれぞれは合成樹脂からなるものであり、外箱のうち合成樹脂製の天板のみに設けられている。このため、手掛け部から合成樹脂および金属相互間の接合面が廃止されるので、手掛け部の剛性が向上する。
【図面の簡単な説明】
【０００８】
【図１】実施例１を示す図（洗濯機の外観を斜め前方から示す図）
【図２】洗濯機の外観を斜め後方から示す図
【図３】洗濯機の内部構成を示す図
【図４】外箱の天板の外観を斜め後方から示す図
【図５】（ａ）は図４のＸ５線に沿う断面図、（ｂ）はＸｂ視図
【図６】外箱の後板の外観を斜め後方から示す図
【図７】左後手掛け部および右後手掛け部のそれぞれを後方から示す図
【発明を実施するための形態】
【０００９】
［実施例１］
外箱１は、図１および図２に示すように、前板２と後板３と左側板４と右側板５と底板６と天板７を有する中空状をなすものである。この外箱１の前板２は前板２〜天板７のうちで使用側である前方に位置するものであり、前板２には、図３に示すように、貫通孔状の出入口８が形成されている。この前板２は金属を材料とするものであり、前板２には扉９が装着されている。この扉９は使用者が前方から閉鎖状態および開放状態相互間で操作することが可能なものであり、出入口８は扉９の閉鎖状態で閉鎖されると共に扉９の開放状態で開放される。外箱１の後板３は金属を材料とするものであり、前板２に後方から対向している。
【００１０】
外箱１の左側板４は、図１に示すように、前板２の左端部および後板３の左端部を相互に連結するものである。この左側板４は金属を材料とするものであり、左側板４には上端部に位置して１個の左手掛け部１０が形成され、下端部に位置して２個の左手掛け部１０が形成されている。これら３個の左手掛け部１０のそれぞれは作業者が外箱１を運搬する場合に手指を挿入するものであり、左側板４のうち３個の左手掛け部１０のそれぞれを除く残りの部分に対して右方へ凹む凹状の部分を称している。これら３個の左手掛け部１０のそれぞれは使用者側である前方から見て左側面が開口するものであり、上板を有している。これら上板のそれぞれは左手掛け部１０の天井面を称するものであり、作業者の手指は左手掛け部１０のそれぞれの上板に下方から掛けられる。
【００１１】
外箱１の右側板５は、図２に示すように、前板２の右端部および後板３の右端部を相互に連結するものである。この右側板５は金属を材料とするものであり、右側板５には上端部に位置して１個の右手掛け部１１が形成され、下端部に位置して２個の右手掛け部１１が形成されている。これら３個の右手掛け部１１のそれぞれは作業者が外箱１を運搬する場合に手指を挿入するものであり、右側板５のうち３個の右手掛け部１１のそれぞれを除く残りの部分に対して左方へ凹む凹状の部分を称している。これら３個の右手掛け部１１のそれぞれは使用者側である前方から見て右側面が開口するものであり、上板を有している。これら上板のそれぞれは右手掛け部１１の天井面を称するものであり、作業者の手指は右手掛け部１１のそれぞれの上板に下方から掛けられる。
【００１２】
外箱１の底板６は金属を材料とするものであり、図１に示すように、前板２の下端部と後板３の下端部と左側板４の下端部と右側板５の下端部は底板６を介して相互に連結されている。外箱１の天板７は合成樹脂を材料とするものであり、前板２の上端部と後板３の上端部と左側板４の上端部と右側板５の上端部は天板７を介して相互に連結されている。この天板７には操作パネル１２が一体成形されている。この操作パネル１２は、図３に示すように、扉９の上方に配置されたものであり、操作パネル１２には、図１に示すように、液晶表示器１３および複数の操作スイッチ１４が装着されている。
【００１３】
外箱１の内部には、図３に示すように、水受槽１５が固定されている。この水受槽１５は前面が開放された円筒状をなすものであり、扉９の閉鎖状態では扉９が水受槽１５の前面を気密状態に閉鎖する。この水受槽１５は後面が閉鎖されたものであり、後板を有している。この水受槽１５の後板には水受槽１５の外部に位置してドラムモータ１６が固定されている。このドラムモータ１６は前後方向へ指向する回転軸１７を有するものであり、回転軸１７は水受槽１５の内部に突出している。このドラムモータ１６は洗濯モータに相当するものであり、ドラムモータ１６の回転軸１７には水受槽１５の内部に位置してドラム１８が固定されている。このドラム１８は後面が閉鎖された円筒状をなすものであり、ドラムモータ１６の運転状態で回転軸１７と一体的に回転する。このドラム１８の前面は水受槽１５の前面を介して前板２の出入口８に後方から対向しており、ドラム１８の内部には扉９の開放状態で前方から出入口８と水受槽１５の前面とドラム１８の前面を通して洗濯物が出し入れされる。このドラム１８は洗濯槽に相当する。
【００１４】
ドラム１８には、図３に示すように、複数の貫通孔１９が形成されており、ドラム１８の内部空間は複数の貫通孔１９のそれぞれを通して水受槽１５の内部空間に接続されている。このドラム１８には複数のバッフル２０が固定されている。これら複数のバッフル２０のそれぞれはドラム１８が回転することに応じてドラム１８の軸心線ＣＬを中心に円周方向へ移動するものであり、ドラム１８内の洗濯物は複数のバッフル２０のそれぞれに引掛かりながら円周方向へ移動した後に重力で落下することで撹拌される。
【００１５】
外箱１の内部には、図３に示すように、給水弁２１が固定されている。この給水弁２１は入口および出口を有するものであり、給水弁２１の入口は水道の蛇口に接続されている。この給水弁２１は給水弁モータを駆動源とするものであり、給水弁２１の出口は給水弁モータの回転量に応じて開放状態および閉鎖状態相互間で切換えられる。この給水弁２１の出口は水受槽１５の内部に接続されており、給水弁２１の開放状態では水道の蛇口から給水弁２１の出口を通して水受槽１５の内部に水道水が注入される。この水受槽１５には最底部に位置して排水管２２の上端部が接続されており、排水管２２には排水弁２３が介在されている。この排水弁２３は排水弁モータを駆動源とするものであり、排水弁モータの回転量に応じて開放状態および閉鎖状態相互間で切換えられる。この排水弁２３の閉鎖状態では水受槽１５内に注入された水道水が水受槽１５内に貯留され、排水弁２３の開放状態では水受槽１５内の水道水が排水管２２を通して水受槽１５の外部に排出される。
【００１６】
外箱１の底板６には、図３に示すように、水受槽１５の下方に位置してメインダクト２４が固定されている。このメインダクト２４は前後方向へ指向する筒状をなすものであり、メインダクト２４の前端部には前ダクト２５の下端部が接続されている。この前ダクト２５は上下方向へ指向する筒状をなすものであり、前ダクト２５の上端部は水受槽１５の内部空間に水受槽１５の前端部で接続されている。メインダクト２４の後端部にはファンケーシング２６が固定されている。このファンケーシング２６は貫通孔状の吸気口２７および筒状の排気口２８を有するものであり、ファンケーシング２６の内部空間は吸気口２７を介してメインダクト２４の内部空間に接続されている。
【００１７】
ファンケーシング２６には、図３に示すように、ファンケーシング２６の外部に位置してファンモータ２９が固定されている。このファンモータ２９はファンケーシング２６の内部に突出する回転軸を有するものであり、ファンモータ２９の回転軸にはファンケーシング２６の内部に位置してファン３０が固定されている。このファンケーシング２６の排気口２８には後ダクト３１の下端部が接続されている。この後ダクト３１は上下方向へ指向する筒状をなすものであり、後ダクト３１の上端部は水受槽１５の内部空間に水受槽１５の後端部で接続されている。これら後ダクト３１とファンケーシング２６とメインダクト２４と前ダクト２５と水受槽１５は水受槽１５の内部空間を始点および終点のそれぞれとする環状の循環ダクトを構成するものであり、扉９の閉鎖状態でファンモータ２９が運転されている場合にはファン３０が一定方向へ回転することで水受槽１５内の空気が前ダクト２５内からメインダクト２４内を通してファンケーシング２６内に吸引され、ファンケーシング２６内から後ダクト３１内を通して水受槽１５内に戻される。
【００１８】
外箱１の底板６には、図３に示すように、コンプレッサ３２が固定されている。このコンプレッサ３２は循環ダクトの外部に配置されたものであり、冷媒を吐出する吐出口および冷媒を吸込む吸込口を有している。このコンプレッサ３２はコンプモータを駆動源とするものであり、コンプレッサ３２の吐出口にはコンデンサ３３が接続されている。このコンデンサ３３はメインダクト２４の内部に固定されたものであり、コンプモータの運転状態ではコンプレッサ３２の吐出口から吐出された冷媒がコンデンサ３３内に進入する。
【００１９】
コンプレッサ３３の吐出口には、図３に示すように、キャピラリーチューブを介してエバポレータ３４が接続されている。このエバポレータ３４はコンデンサ３３よりも冷媒の流れの下流側に接続されたものであり、コンプモータの運転状態ではコンプレッサ３２の吐出口から吐出された冷媒がコンデンサ３３を通してエバポレータ３４内に進入する。このエバポレータ３４はメインダクト２４の内部にコンデンサ３３よりも空気の流れの上流側に位置して固定されたものであり、ファンモータ２９およびコンプモータのそれぞれの運転状態ではエバポレータ３４がコンデンサ３３よりも空気の流れの上流側で空気を冷却し、コンデンサ３３がエバポレータ３４よりも空気の流れの下流側で空気を加熱することで水受槽１５内に洗濯物を乾燥するための乾燥風を注入する。
【００２０】
外箱１の内部には制御回路が固定されている。この制御回路はＣＰＵとＲＯＭとＲＡＭを有するものであり、ＲＯＭには制御プログラムが予め記録されている。この制御回路のＣＰＵはドラムモータ１６と給水弁モータと排水弁モータとファンモータ２９とコンプモータのそれぞれをＲＯＭの制御プログラムに応じて運転制御することで洗い運転とすすぎ運転と脱水運転と乾燥運転を当該順序で行うものであり、ドラム１８内の洗濯物は洗い運転が行われることで洗剤分を含有する水道水で洗濯され、すすぎ運転が行われることで洗剤分が除去され、脱水運転が行われることで脱水され、乾燥運転が行われることで乾燥される。
【００２１】
外箱１の天板７は、図４に示すように、下面が開口する皿状をなすものである。この天板７は操作パネル１２に加えて天面カバー４１と後面カバー４２と左側面カバー４３（図１参照）と右側面カバー４４を有するものであり、操作パネル１２と天面カバー４１と後面カバー４２と左側面カバー４３と右側面カバー４４は合成樹脂を射出成型することから一体に成形されている。操作パネル１２は天面カバー４１の前端部から下方へ突出する板状の部分を称するものであり、前板２の上端部は操作パネル１２に接合されている。後面カバー４２は天面カバー４１の後端部から下方へ突出する板状の部分を称するものであり、後板３の上端部は後面カバー４２に接合されている。左側面カバー４３は天面カバー４１の左端部から下方へ突出する板状の部分を称するものであり、左側板４の上端部は左側面カバー４３に接合されている。右側面カバー４４は天面カバー４１の右端部から下方へ突出する板状の部分を称するものであり、右側板５の上端部は右側面カバー４４に接合されている。
【００２２】
外箱１の天板７の後端部には、図４に示すように、左端部に位置して左後手掛け部５１が形成され、右端部に位置して右後手掛け部５２が形成されている。これら左後手掛け部５１および右後手掛け部５２のそれぞれは後面カバー４２のうち左後手掛け部５１および右後手掛け部５２のそれぞれを除く残りの部分に対して前方へ凹む凹状をなすものであり、手掛け部上板５３と手掛け部下板５４と手掛け部前板５５と手掛け部左板５６と手掛け部右板５７と手掛け部仕切板５８を有する横長な長方形状をなしている。これら左後手掛け部５１および右後手掛け部５２のそれぞれは使用者側である前方から見て後面が開口するものであり、操作パネル１２と天面カバー４１と後面カバー４２と左側面カバー４３と右側面カバー４４を射出成型するときに一体に成形されている。これら左後手掛け部５１および右後手掛け部５２のそれぞれは手掛け部に相当する。
【００２３】
左後手掛け部５１および右後手掛け部５２のそれぞれの手掛け部前板５５は、図５に示すように、垂直な板状をなすものである。これら両手掛け部前板５５のそれぞれは天板７の後端面である後面カバー４２よりも前方に配置されたものであり、手掛け部上板５３と手掛け部下板５４と手掛け部前板５５と手掛け部左板５６と手掛け部右板５７と手掛け部仕切板５８のうちで厚さ寸法が最も小さく設定されている。左後手掛け部５１および右後手掛け部５２のそれぞれの手掛け部左板５６は手掛け部前板５５の左端部から後方へ突出する垂直な板状をなすものであり、両手掛け部左板５６のそれぞれの厚さ寸法は天板７の天面カバー４１のうち手掛け部仕切板５８の直前の傾斜部５９と同一値に設定されている。左後手掛け部５１および右後手掛け部５２のそれぞれの手掛け部右板５７は手掛け部前板５５の右端部から後方へ突出する垂直な板状をなすものであり、両手掛け部右板５７のそれぞれの厚さ寸法は天面カバー４１の傾斜部５９と同一値に設定されている。左後手掛け部５１および右後手掛け部５２のそれぞれの手掛け部下板５４は手掛け部前板５５の下端部から後方へ突出する水平な板状をなすものである。これら両手掛け部下板５４のそれぞれは手掛け部左板５６の下端部および手掛け部右板５７の下端部を相互に連結するものであり、両手掛け部下板５４のそれぞれの厚さ寸法は天面カバー４１の傾斜部５９と同一値に設定されている。
【００２４】
左後手掛け部５１および右後手掛け部５２のそれぞれの手掛け部仕切板５８は、図５に示すように、手掛け部前板５５の上端部から後方へ突出する水平な板状をなすものである。これら両手掛け部仕切板５８のそれぞれは手掛け部上板５３と手掛け部下板５４と手掛け部前板５５と手掛け部左板５６と手掛け部右板５７と手掛け部仕切板５８のうちで厚さ寸法が最も大きく設定されたものであり、両手掛け部仕切板５８のそれぞれの厚さ寸法は天面カバー４１の傾斜部５９に比べて大きく設定されている。左後手掛け部５１および右後手掛け部５２のそれぞれの手掛け部上板５３は、図４に示すように、左端部および右端部のそれぞれが手掛け部仕切板５８に接合され、左端部および右端部のそれぞれを除く残りの部分が手掛け部仕切板５８に対して上方に離間するものであり、両手掛け部上板５３のそれぞれの厚さ寸法は天面カバー４１の傾斜部５９と同一値に設定されている。
【００２５】
左後手掛け部５１および右後手掛け部５２のそれぞれは作業者が外箱１を運搬する場合に手指を挿入するものであり、作業者の手指は左後手掛け部５１および右後手掛け部５２のそれぞれの手掛け部仕切板５８に下方から掛けられる。これら左後手掛け部５１および右後手掛け部５１のそれぞれの手掛け部上板５３には、図４示すように、左右方向に相互に隙間を介して並ぶ複数の上リブ６０が形成されている。これら複数の上リブ６０のそれぞれは、図４に示すように、手掛け部上板５３から下方へ突出する垂直なものであり、操作パネル１２と天面カバー４１と後面カバー４２と左側面カバー４３と右面カバー４４を射出成型するときに一体に成形されている。これら複数の上リブ６０のそれぞれの下面は手掛け部仕切板５８が弾性変形していない手掛け部仕切板５８の自然状態で下方の手掛け部仕切板５８から上方へ離間するものであり、作業者が両手掛け部仕切板５８のそれぞれに下方から手指を掛けて外箱１を運搬する場合には両手掛け部仕切板５８のそれぞれが外箱１と水受槽１５とドラムモータ１６とドラム１８と循環ダクトとファンモータ２９とコンプレッサ３２とコンデンサ３３とエバポレータ３４を含む外箱１内の部品の荷重で弾性変形することで複数の上リブ６０のそれぞれの下面に下方から接触する。これら両手掛け部仕切板５８のそれぞれが複数の上リブ６０の下面に接触した手掛け部仕切板５８の弾性変形状態では荷重が両手掛け部仕切板５８のそれぞれを通して上方の手掛け部上板５３に伝えられ、両手掛け部上板５３のそれぞれが荷重を受ける。
【００２６】
外箱１の後板３には、図６に示すように、左端部に位置して水平な板状の左手掛け部受け６１が形成され、右端部に位置して水平な板状の右手掛け部受け６２が形成されている。これら左手掛け部受け６１および右手掛け部受け６２のそれぞれは後板３の一部を折曲げることで形成されたものであり、左手掛け部受け６１は、図５に示すように、左後手掛け部５１の手掛け部下板５４を下方から接触状態で支持し、右手掛け部受け６２は右後手掛け部５２の手掛け部下板５４を下方から接触状態で支持している。これら左手掛け部受け６１および右手掛け部受け６２のそれぞれは手掛け部受けに相当するものであり、金属を材料に形成されている。
【００２７】
外箱１の後板３には、図６に示すように、左端部に位置して垂直な板状の２つの左締結片６３が形成され、右端部に位置して垂直な板状の２つの右締結片６４が形成されており、両左締結片６３および両右締結片６４のそれぞれには貫通孔状のネジ孔６５が形成されている。これら両左締結片６３および両右締結片６４のそれぞれは後板３の一部を折曲げることから形成されたものであり、両左締結片６３は左後手掛け部５１を挟んで左右方向に相互に対向配置され、両右締結片６４は右後手掛け部５２を挟んで左右方向に相互に対向配置されている。
【００２８】
天板７の後面カバー４２には、図４に示すように、左端部に位置して金属製の２本の左ネジ６６が挿入され、右端部に位置して金属製の２本の右ネジ６７が挿入されている。これら両左ネジ６６および両右ネジ６７のそれぞれは後面カバー４２に後面カバー４２の後方から挿入されたものであり、両左ネジ６６は左後手掛け部５１を挟んで左右方向に相互に対向配置され、両右ネジ６７は右後手掛け部５２を挟んで左右方向に相互に対向配置されている。これら両左ネジ６６のそれぞれは前方の左締結片６３のネジ孔６５内に螺合され、両右ネジ６７のそれぞれは前方の右締結片６４のネジ孔６５内に螺合されており、両左締結片６３のそれぞれは左ネジ６６を介して後面カバー４２に締結され、両右締結片６４のそれぞれは右ネジ６７を介して後面カバー４２に締結されている。これら両左ネジ６６および両右ネジ６７のそれぞれは締結部材に相当する。
【００２９】
天板７の後面カバー４２は、図４に示すように、左後手掛け部５１の左側部と左後手掛け部５１の右側部と右後手掛け部５２の左側部と右後手掛け部５２の右側部のそれぞれで後板３の上端部に締結されたものであり、図７に示すように、左後手掛け部５１の手掛け部左板５６の内面から左側の左ネジ６６の中心点に至る距離Ｗｌｌと左後手掛け部５１の手掛け部右板５７の内面から右側の左ネジ６６の中心点に至る距離Ｗｌｒと左後手掛け部５１の手掛け部左板５６の内面および手掛け部右板５７の内面相互間の幅寸法Ｗｌは下記（１）の関係に設定され、右後手掛け部５２の手掛け部左板５６の内面から左側の右ネジ６７の中心点に至る距離Ｗｒｌと右後手掛け部５２の手掛け部右板５７の内面から右側の右ネジ６７の中心点に至る距離Ｗｒｒと右後手掛け部５２の手掛け部左板５６の内面および手掛け部右板５７の内面相互間の幅寸法Ｗｒは下記（２）の関係に設定されている。
【００３０】
０＜Ｗｌｌ（＝Ｗｌｒ）≦Ｗｌ／２    ・・・（１）
０＜Ｗｒｌ（＝Ｗｒｒ）≦Ｗｒ／２    ・・・（２）
後板３の左手掛け部受け６１および右手掛け部受け６２のそれぞれの前端部には、図６に示すように、上方へ突出する板状の前リブ６８が形成されている。左手掛け部受け６１の前リブ６８は、図５に示すように、左後手掛け部５１の手掛け部前板５５の下端部に前方から隙間を介して対向する垂直なものであり、右手掛け部受け６２の前リブ６８は右後手掛け部５２の手掛け部前板５５の下端部に前方から隙間を介して対向する垂直なものであり、作業者が左後手掛け部５１および右後手掛け部５２のそれぞれの手掛け部仕切板５８に手指を掛けて外箱１を運搬する場合には左後手掛け部５１の手掛け部前板５５が左手掛け部受け６１の前リブ６８に接触すると共に右後手掛け部５２の手掛け部前板５５が右手掛け部受け６２の前リブ６８に接触することで天板７が後板３に対して前方へ大きくずれ動くことが防止される。
【００３１】
天板７には、図５に示すように、左後手掛け部５１の手掛け部下板５４に位置して左リブ６９および右リブ７０のそれぞれが形成され、右後手掛け部５２の手掛け部下板５４に位置して左リブ６９および右リブ７０のそれぞれが形成されている。左後手掛け部５１の左リブ６９および右リブ７０のそれぞれは左後手掛け部５１の手掛け部下板５４から下方へ突出する垂直な板状をなすものであり、左後手掛け部５１の左リブ６９は後板３の左手掛け部受け６１に左方から接触し、左後手掛け部５１の右リブ７０は後板３の左手掛け部受け６１に右方から接触している。右後手掛け部５２の左リブ６９および右リブ７０のそれぞれは右後手掛け部５２の手掛け部下板５４から下方へ突出する垂直な板状をなすものであり、右後手掛け部５２の左リブ６９は後板３の右手掛け部受け６２に左方から接触し、右後手掛け部５２の右リブ７０は後板３の右手掛け部受け６２に右方から接触している。即ち、作業者が左後手掛け部５１および右後手掛け部５２のそれぞれの手掛け部仕切板５８に手指を掛けて外箱１を運搬する場合には左後手掛け部５１の左リブ６９が左手掛け部受け６１に左方から接触すると共に右後手掛け部５２の左リブ６９が右手掛け部受け６２に左方から接触することで天板７が後板３に対して右方へずれ動くことが防止され、左後手掛け部５１の右リブ７０が左手掛け部受け６１に右方から接触すると共に右後手掛け部５２の右リブ７０が右手掛け部受け６２に右方から接触することで天板７が後板３に対して左方へずれ動くことが防止される。
【００３２】
上記実施例１によれば次の効果を奏する。
左後手掛け部５１を手掛け部上板５３と手掛け部下板５４と手掛け部前板５５と手掛け部左板５６と手掛け部右板５７と手掛け部仕切板５８から構成した。これら手掛け部上板５３〜手掛け部仕切板５８のそれぞれは天板７に一体成形された合成樹脂からなるものであり、天板７のみに設けられている。このため、左後手掛け部５１から合成樹脂および金属が相互間の接合面がなくなるので、左後手掛け部５１の剛性が向上する。外箱１の天板７を左後手掛け部５１の左側および右側のそれぞれで外箱１の後板３に締結したので、左後手掛け部５１が後板３の両左締結片６３および両左ネジ６６のそれぞれによって補強される。しかも、左後手掛け部５１の手掛け部左板５６の内面から左側の左ネジ６６の中心点に至る距離Ｗｌｌを左後手掛け部５１の幅寸法Ｗｌの「１／２」以下に設定し、左後手掛け部５１の手掛け部右板５７の内面から右側の左ネジ６６の中心点に至る距離Ｗｌｒを左後手掛け部５１の幅寸法Ｗｌの「１／２」以下に設定した。このため、左後手掛け部５１の剛性が一層向上するので、総じて作業者が左後手掛け部５１内に手指を挿入して外箱１を運搬する場合に天板７が変形することで前板２と後板３と左側板４と右側板５のそれぞれに対して浮き上がることを防止できる。
【００３３】
外箱１の後板３に左後手掛け部５１の手掛け部下板５４を下方から接触状態で支持する左手掛け部受け６１を設けた。このため、作業者が左後手掛け部５１内に手指を挿入して外箱１を運搬する場合に左後手掛け部５１が傾いて変形することを防止できるので、天板７が変形することで前板２と後板３と左側板４と右側板５のそれぞれに対して局部的に大きく浮き上がることを防止できる。左後手掛け部５１に左リブ６９および右リブ７０を設けた。このため、作業者が左後手掛け部５１内に手指を挿入して外箱１を運搬する場合に左後手掛け部５１の左リブ６９が左手掛け部受け６１に左方から接触することで天板７が後板３に対して右方へずれ動くことが防止され、左後手掛け部５１の右リブ７０が左手掛け部受け６１に右方から接触することで天板７が後板３に対して左方へずれ動くことが防止されるので、天板７が左右方向へずれ動くことで前板２と後板３と左側板４と右側板５のそれぞれに対して隙間が生じことを防止できる。
【００３４】
左後手掛け部５１の内部に水平な手掛け部仕切板５８を設けたので、作業者が左手掛け部５１内に手指を挿入して外箱１を運搬する場合に手掛け部上板５３および手掛け部仕切板５８の双方を掴むことができる。このため、作業者が外箱１を運搬する場合に手指に力を入れやすくなるので、外箱１を容易に運搬することが可能になる。左後手掛け部５１の手掛け部上板５３に上リブ６０を設け、左後手掛け部５１の手掛け部仕切板５８が弾性変形していない自然状態で手掛け部仕切板５８を上方の上リブ６０に隙間を介して対向させ、作業者が外箱１を運搬する場合に手掛け部仕切板５８を上方へ弾性変形した弾性変形状態にすることで上方の上リブ６０に接触させた。このため、手掛け部仕切板５８を弾性変形させない場合に比べて作業者が外箱１を運搬する場合に手指に伝わる感触が柔軟なものになる。以上の各効果は右後手掛け部５２についても同一である。
【００３５】
上記実施例１においては、左後手掛け部５１および右後手掛け部５２のそれぞれから手掛け部仕切板５８および全ての上リブ６０の双方を廃止し、作業者が外箱１を運搬する場合に左後手掛け部５１および右後手掛け部５２のそれぞれの手掛け部上板５３に下方から手指を掛ける構成としても良い。
【００３６】
上記実施例１においては、左後手掛け部５１および右後手掛け部５２のそれぞれの手掛け部上板５３の全ての上リブ６０を廃止し、左後手掛け部５１および右後手掛け部５２のそれぞれの手掛け部仕切板５８に上方へ突出する上リブを設けても良い。この上リブは手掛け部仕切板５８の自然状態で上方の手掛け部上板５３に隙間を介して対向するものであり、手掛け部仕切板５８の弾性変形状態で上方の手掛け部上板５３に接触する。
【００３７】
上記実施例１においては、左後手掛け部５１および右後手掛け部５２のそれぞれの手掛け部仕切板５８の厚さ寸法を天面カバー４１の傾斜部５９と同一値に設定しても良い。
上記実施例１においては、左後手掛け部５１および右後手掛け部５２のそれぞれについて手掛け部上板５３と手掛け部下板５４と手掛け部前板５５と手掛け部左板５６と手掛け部右板５７と手掛け部仕切板５８のそれぞれの厚さ寸法を天面カバー４１の傾斜部５９と同一値に設定しても良い。
【符号の説明】
【００３８】
１は外箱、２は前板、３は後板、７は天板、８は出入口、１５は水受槽、１６はドラムモータ（洗濯モータ）、１８はドラム（洗濯槽）、５１は左後手掛け部（手掛け部）、５２は右後手掛け部（手掛け部）、５３は手掛け部上板、５４は手掛け部下板、５５は手掛け部前板、５６は手掛け部左板、５７は手掛け部右板、５８は手掛け部仕切板、６０は上リブ、６１は左手掛け部受け（手掛け部受け）、６２は右手掛け部受け（手掛け部受け）、６６は左ネジ（締結部材）、６７は右ネジ（締結部材）、６９は左リブ、７０は右リブを示している。
【図１】
0005449919.tif 000002
【図２】
0005449919.tif 000003
【図３】
0005449919.tif 000004
【図４】
0005449919.tif 000005
【図５】
0005449919.tif 000006
【図６】
0005449919.tif 000007
【図７】
0005449919.tif 000008